(57)【要約】【課題】  音楽再生パラメータを視覚的に簡易な方法で設定できるようにする。【解決手段】  ユーザは、グラフィカルユーザインタフェース（ＧＵＩ）を用いた表示画面上のアイコンを、マウスでドラッグして左右方向または上下方向に移動させる。すると、入力情報分析部２１は、アイコン位置の変移量を入力データとして抽出する。再生情報編集部３１は、入力データを、音楽再生パラメータの設定条件を示す音楽再生条件データに変換する。出力制御部４１は、音楽再生条件データにもとづいて、音楽再生プレーヤである出力装置５に音楽再生パラメータの設定を指示する。すると、出力装置５は、出力制御部４１の指示に従って、音楽再生パラメータを設定する。【選択図】  図１
2005249872.tif 000002
【特許請求の範囲】
【請求項１】
音楽再生に用いるパラメータを設定する音楽再生パラメータ設定装置であって、
ユーザ操作に伴う画面に表示される図形の画面上での変移量を抽出する変移量抽出手段と、
前記変移量抽出手段が抽出した変移量を、パラメータの設定条件を示す条件データに変換するデータ変換手段と、
前記データ変換手段が変換した条件データに従って、パラメータを設定するパラメータ設定手段とを備えた
ことを特徴とする音楽再生パラメータ設定装置。
【請求項２】
変移量抽出手段は、画面に表示される図形がユーザによって移動された場合に、前記図形の画面上での位置の変移量を抽出する請求項１記載の音楽再生パラメータ設定装置。
【請求項３】
変移量抽出手段は、画面に表示される図形の大きさがユーザによって変更された場合に、前記図形の画面上での大きさの変移量を抽出する請求項１記載の音楽再生パラメータ設定装置。
【請求項４】
変移量抽出手段は、ユーザ操作に伴う画面に表示されるアイコンまたはキャラクタ図形の画面上での変移量を抽出する請求項１から請求項３のうちのいずれか１項に記載の音楽再生パラメータ設定装置。
【請求項５】
データ変換手段は、変移量抽出手段が抽出した変移量をパラメータ値の変更量に変換して、前記パラメータ値の変更量を含む条件データを生成し、
パラメータ設定手段は、前記条件データに含まれる変更量に応じてパラメータを設定する
請求項１から請求項４のうちのいずれか１項に記載の音楽再生パラメータ設定装置。
【請求項６】
再生する音楽データにもとづいて、画面に表示される図形を画面上で振動表示させる振動表示手段と、
変移量抽出手段が抽出した変移量にもとづいて、前記振動表示手段が図形を振動表示させる振動の大きさを変更する振動量変更手段とを備えた
請求項１から請求項５のうちのいずれか１項に記載の音楽再生パラメータ設定装置。
【請求項７】
音楽再生に用いるパラメータを設定する音楽再生パラメータ設定方法であって、
ユーザ操作に伴う画面に表示される図形の画面上での変移量を抽出するステップと、
前記抽出した変移量を、パラメータの設定条件を示す条件データに変換するステップと、
前記変換した条件データに従って、パラメータを設定するステップとを含む
ことを特徴とする音楽再生パラメータ設定方法。
【発明の詳細な説明】
【技術分野】
【０００１】
本発明は、音楽再生プレーヤが音楽再生に用いるパラメータを設定する音楽再生パラメータ設定装置および音楽再生パラメータ設定方法に関する。
【背景技術】
【０００２】
音楽再生用ソフトウェア（音楽再生プレーヤ）を用いて、コンピュータ上で音楽を再生することが行われている。この場合、ミキサソフトウェアを用いて、パン（ステレオ定位）やボリュームなどの音楽再生パラメータの設定を行う。ミキサソフトウェアを用いる場合、一般に、キーボードから数値を直接入力したりボリュームつまみを操作することによって、音楽再生パラメータを設定する。
【０００３】
また、映像や音声の再生指示を行うシステムとして、特許文献１には、記録動作および再生動作に関する指示を、グラフィカルユーザインタフェース（ＧＵＩ）を介して入力できる編集システムが記載されている。
【０００４】
【特許文献１】国際公開第ＷＯ９６／３２７２２号パンフレット（第４−７頁、図３）
【発明の開示】
【発明が解決しようとする課題】
【０００５】
ミキサソフトウェアを用いる場合、音楽再生パラメータの数値を直接入力したり、つまみに表記された数値をもとにボリュームつまみを操作して設定する。そのため、音楽再生パラメータを簡易に設定することができず、音楽データ（ＭＩＤＩデータ）の各トラック情報の再生状況や演奏楽器を視覚的に把握しにくい。また、音楽再生パラメータについての専門的な知識がなければ、音楽再生パラメータを数値で設定するのは難しい。
【０００６】
特許文献１に記載された編集システムを音楽再生パラメータ設定に適用すれば、グラフィカルユーザインタフェースを用いて視覚的に音楽再生パラメータを設定することができる。しかし、音楽再生パラメータを数値を意識せずに簡易に設定することはできない。
【０００７】
そこで、本発明は、音楽再生パラメータを視覚的に簡易な方法で設定できる音楽再生パラメータ設定装置および音楽再生パラメータ設定方法を提供することを目的とする。
【課題を解決するための手段】
【０００８】
本発明による音楽再生パラメータ設定装置は、音楽再生に用いるパラメータを設定する音楽再生パラメータ設定装置であって、ユーザ操作に伴う画面に表示される図形の画面上での変移量を抽出する変移量抽出手段と、変移量抽出手段が抽出した変移量を、パラメータの設定条件を示す条件データに変換するデータ変換手段と、データ変換手段が変換した条件データに従って、パラメータを設定するパラメータ設定手段とを備えたことを特徴とする。
【０００９】
また、変移量抽出手段は、画面に表示される図形がユーザによって移動された場合に、図形の画面上での位置の変移量を抽出するものであってもよい。
【００１０】
また、変移量抽出手段は、画面に表示される図形の大きさがユーザによって変更された場合に、図形の画面上での大きさの変移量を抽出するものであってもよい。
【００１１】
また、変移量抽出手段は、ユーザ操作に伴う画面に表示されるアイコンまたはキャラクタ図形の画面上での変移量を抽出するものであってもよい。
【００１２】
また、データ変換手段は、変移量抽出手段が抽出した変移量をパラメータ値の変更量に変換して、パラメータ値の変更量を含む条件データを生成し、パラメータ設定手段は、条件データに含まれる変更量に応じてパラメータを設定するものであってもよい。
【００１３】
また、音楽再生パラメータ設定装置は、再生する音楽データにもとづいて、画面に表示される図形を画面上で振動表示させる振動表示手段と、変移量抽出手段が抽出した変移量にもとづいて、振動表示手段が図形を振動表示させる振動の大きさを変更する振動量変更手段とを備えたものであってもよい。そのような構成によれば、画面上の図形を音情報に合わせて振動表示させるので、音楽再生パラメータの設定をより視覚的に確認することができる。
【００１４】
本発明による音楽再生パラメータ設定方法は、音楽再生に用いるパラメータを設定する音楽再生パラメータ設定方法であって、ユーザ操作に伴う画面に表示される図形の画面上での変移量を抽出するステップと、抽出した変移量を、パラメータの設定条件を示す条件データに変換するステップと、変換した条件データに従って、パラメータを設定するステップとを含むことを特徴とする。
【発明の効果】
【００１５】
本発明によれば、ユーザは、画面上に表示される図形を移動させたり拡大縮小させるなど変移させれば、音楽再生パラメータを設定することができる。従って、音楽再生パラメータを視覚的に簡易な方法で設定することができる。
【発明を実施するための最良の形態】
【００１６】
実施の形態１．
以下、本発明の第１の実施の形態を図面を参照して説明する。図１は、本発明による音楽再生パラメータ設定装置の構成の一例を示すブロック図である。本実施の形態では、音楽再生パラメータ設定装置は、再生する音楽の音色、音調、音律または音量や、音楽の再生の仕方を示すパラメータである音楽再生パラメータを設定する。例えば、音楽再生パラメータ設定装置は、ユーザの操作に従って、パンやボリュームなどを設定する。
【００１７】
図１に示すように、音楽再生パラメータ設定装置は、入力装置１、入力データを抽出する入力情報制御装置２、入力データを変換する音声情報制御装置３、音楽再生プレーヤを制御する音楽出力制御装置４、および音楽再生プレーヤである出力装置５を含む。
【００１８】
入力装置１は、マウスやキーボードである。本実施の形態では、音楽再生パラメータを設定するために、主としてマウスが用いられる。本実施の形態では、音楽再生パラメータ設定装置は、グラフィカルユーザインタフェース（ＧＵＩ）を用いた表示画面を表示部（図示せず）に表示させる。以下、音楽再生パラメータ設定装置が表示させるＧＵＩを用いた表示画面をＧＵＩ画面という。ユーザは、ＧＵＩ画面を見ながら、入力装置１を操作して音楽再生パラメータの設定を指示する。本実施の形態では、ユーザは、ＧＵＩ画面から音楽再生パラメータを数値で入力するのではなく、ＧＵＩ画面上のアイコンをマウスでドラッグし左右方向や上下方向に移動させることによって、音楽再生パラメータの設定を指示する。
【００１９】
入力情報制御装置２は、入力情報分析部２１および入力情報記憶部２２を含む。入力情報分析部２１は、具体的には、プログラムに従って動作する情報処理装置のＣＰＵによって実現される。入力情報分析部２１は、ユーザによって音楽再生パラメータの設定操作が行われると、音楽再生パラメータの設定指示が入力された旨を示す指示情報を、音声情報制御装置３に出力する。
【００２０】
また、入力情報分析部２１は、入力データを抽出する。本実施の形態では、入力情報分析部２１は、ＧＵＩ画面上のアイコン位置の上下方向または左右方向の変移量を、入力データとして抽出する。そして、入力情報分析部２１は、抽出した入力データを入力情報記憶部２２に記憶させる。
【００２１】
入力情報記憶部２２は、具体的には、情報処理装置の記憶部によって実現される。入力情報記憶部２２は、入力情報分析部２１が抽出した入力データを一時記憶する。
【００２２】
音声情報制御装置３は、再生情報編集部３１および再生情報記憶部３２を含む。再生情報編集部３１は、具体的には、プログラムに従って動作する情報処理装置のＣＰＵおよび記憶部によって実現される。再生情報編集部３１は、入力データを、音楽再生パラメータの設定条件を示す音楽再生条件データ（条件データ）に変換する。また、再生情報編集部３１は、音楽再生パラメータの設定を指示する指示情報を音楽出力制御装置４に出力する。また、再生情報編集部３１は、変換した音楽再生条件データを再生情報記憶部３２に記憶させる。
【００２３】
再生情報記憶部３２は、具体的には、情報処理装置の記憶部によって実現される。再生情報記憶部３２は、再生情報編集部３１が変換した音楽再生条件データを一時記憶する。
【００２４】
音楽出力制御装置４は、出力制御部４１を含む。出力制御部４１は、具体的には、プログラムに従って動作する情報処理装置のＣＰＵによって実現される。出力制御部４１は、音楽再生条件データにもとづいて、出力装置５に音楽再生パラメータを設定させる。
【００２５】
出力装置５は、具体的には、音楽再生用ソフトウェアに従って動作する情報処理装置のＣＰＵおよび音声出力部によって実現される。出力装置５は、音楽を再生する機能を備える。また、出力装置５は、出力制御部４１の指示に従って、音楽再生パラメータを設定する機能を備える。
【００２６】
本実施の形態において、変移量抽出手段は、入力情報分析部２１によって実現される。また、データ変換手段は、再生情報編集部３１によって実現される。また、パラメータ設定手段は、出力制御部４１および出力装置５によって実現される。
【００２７】
次に、動作を説明する。図２は、音楽再生パラメータ設定装置が行う音楽再生パラメータの設定処理の一例を示す流れ図である。ユーザは、音楽再生開始時や音楽再生中に音楽再生パラメータを設定または変更したい場合には、入力装置１を操作して、音楽再生パラメータの設定指示を入力する（ステップＳ１１）。例えば、音楽再生パラメータ設定装置は、音楽データの各トラック情報に対応するアイコンを含むＧＵＩ画面を表示部に表示させる。ユーザは、アイコンをマウスでドラッグし左右方向や上下方向に移動させることによって設定指示を入力する。
【００２８】
例えば、右側のスピーカがより音が大きくなるようにしたい場合には、ユーザは、マウスでドラッグしてアイコンを右に移動させる。この場合に、ユーザは、右側のスピーカの音を少しだけ大きくしたい場合にはアイコンを少しだけ右側に移動させ、右側のスピーカの音をさらに大きくしたい場合にはアイコンをさらに右側に移動させる。また、例えば、ボリュームを大きくしたい場合には、ユーザは、マウスでドラッグしてアイコンを上側に移動させる。この場合に、ユーザは、ボリュームを少しだけ大きくしたい場合にはアイコンを少しだけ上側に移動させ、ボリュームをさらに大きくしたい場合にはアイコンをさらに上側に移動させる。
【００２９】
ユーザによって音楽再生パラメータの設定操作がされると、入力情報分析部２１は、アイコン位置の左右方向や上下方向の変移量を、入力データとして抽出する（ステップＳ１２）。そして、入力情報分析部２１は、抽出した入力データを再生情報記憶部３２に記憶させる（ステップＳ１３）。また、入力情報分析部２１は、ユーザによって音楽再生パラメータの設定指示が入力された旨を示す指示情報を、音声情報制御装置３の再生情報編集部３１に出力する。
【００３０】
入力情報分析部２１から指示情報が入力されると、再生情報編集部３１は、入力情報記憶部２２から入力データを抽出する。再生情報編集部３１は、抽出した入力データを、音楽再生条件データに変換する（ステップＳ１４）。例えば、再生情報編集部３１は、マウス位置の変移量と、音楽再生パラメータの値の変更量とを対応付けたテーブルを備えている。再生情報編集部３１は、例えば、マウス位置の変移量にもとづいて音楽再生パラメータの値の変更量を抽出し、入力データを、音楽再生パラメータの値の変更量を含む音楽再生条件データに変換する。
【００３１】
音楽再生条件データに変換すると、再生情報編集部３１は、変換した音楽再生条件データを再生情報記憶部３２に記憶させる。また、再生情報編集部３１は、音楽再生パラメータの設定を指示する指示情報を、音楽出力制御装置４の出力制御部４１に出力する。
【００３２】
再生情報編集部３１から指示情報が入力されると、出力制御部４１は、再生情報記憶部３２から音楽再生条件データを抽出する。そして、出力制御部４１は、抽出した音楽再生条件データにもとづいて、出力装置５に音楽再生パラメータを設定させる。
【００３３】
出力装置５は、出力制御部４１からの指示に従って、音楽再生パラメータを設定する（ステップＳ１５）。例えば、出力制御部４１は、音楽再生条件データに含まれる変更量分だけ音楽再生パラメータの値を変更する旨を出力装置５に指示する。すると、出力装置５は、指示された変更量分だけ音楽再生パラメータの値を変更する。
【００３４】
そして、出力装置５は、設定後の音楽再生パラメータを用いて音楽を再生する（ステップＳ１６）。また、出力装置５は、設定後の音楽再生パラメータの値を表示部に表示させる。なお、音楽の再生中に音楽再生パラメータを変更した場合には、出力装置５は、変更後の音楽再生パラメータを用いて音楽を再生し、変更後の音楽再生パラメータの値を表示部に表示させる。
【００３５】
なお、本実施の形態では、アイコンを移動させることによって音楽再生パラメータを設定する場合を説明したが、マウスを用いて入力できるものであればアイコン以外の図形を用いてもよい。例えば、人物などのキャラクタ図形をマウスでドラッグして移動させることによって音楽再生パラメータを設定できるようにしてもよい。
【００３６】
また、ＧＵＩ画面上の図形を移動させるのでなく、図形をマウスで拡大または縮小させることによって、音楽再生パラメータを設定できるようにしてもよい。例えば、ＧＵＩ画面上のキャラクタ図形をマウスで拡大または縮小させることによって、ボリュームを大きくしたり小さくしたりできるようにしてもよい。
【００３７】
以上のように、本実施の形態によれば、ユーザは、ＧＵＩ画面上でアイコンやキャラクタ図形をマウスでドラッグして移動または拡大縮小させることによって、音楽再生パラメータを設定することができる。従って、音楽再生パラメータを視覚的に簡易な方法で設定することができる。また、本実施の形態によれば、トラック情報ごとのアイコンやキャラクタ図形を上下方向や左右方向に移動させたり拡大縮小させることによって、音楽再生パラメータの値を意識しなくても、視覚的に音楽再生パラメータを設定できる。従って、音楽再生パラメータについての専門的な知識が無くても、音楽再生パラメータを容易に設定することができる。
【００３８】
実施の形態２．
次に、本発明の第２の実施の形態を図面を参照して説明する。図３は、音楽再生パラメータ設定装置の他の構成例を示すブロック図である。本実施の形態では、音楽再生パラメータ設定装置は、第１の実施の形態で示した構成に加えて、表情制御装置６を含む。
【００３９】
表情制御装置６は、表情制御部（振動表示手段および振動量変更手段）６１を含む。表情制御部６１は、具体的には、プログラムに従って動作する情報処理装置のＣＰＵおよび記憶部によって実現される。表情制御部６１は、出力装置５が再生する音楽データを、コンピュータグラフィックス化（ＣＧ化）して表示部に表示させる機能を備える。例えば、表情制御部６１は、ＧＵＩ画面上のアイコンやキャラクタ図形を、音に合わせて左右や上下方向に振動させることによってビブラート表示させる。
【００４０】
また、表情制御部６１は、音楽再生パラメータが設定または変更されると、入力情報記憶部２２から入力データを抽出する。そして、表情制御部６１は、抽出した入力データにもとづいて、ビブラート表示させるＧＵＩ画面上の図形の振動の大きさを変更する。例えば、表情制御部６１は、マウス位置の変移量と図形の振動の大きさの変更量とを対応付けたテーブルを備えている。表情制御部６１は、例えば、マウス位置の変移量にもとづいて振動の大きさの変更量を抽出し、ビブラート表示させる図形の振動の大きさを変更する。そのようにすることによって、ＧＵＩ画面上の図形の振動の大きさを見れば、音楽再生パラメータの設定をより視覚的に確認することができる。
【００４１】
また、音楽データに含まれるトラック情報のうち、特定のトラック情報をユーザが再生または非再生に設定できるようにしてもよい。そして、表情制御部６１は、ＧＵＩ画面上の図形を表示または非表示にすることによって、各トラック情報が再生に設定されているか非再生に設定されているかをＧＵＩ画面上に表示させるようにしてもよい。この場合、例えば、表情制御部６１は、各トラック情報の音調に合うキャラクタや楽器の図形をＧＵＩ画面上に表示させるようにしてもよい。そのようにすれば、いずれのキャラクタまたは楽器の図形が表示または非表示になっているかを見ることによって、いずれの音調のトラック情報が再生または非再生になっているかを視覚的に確認できる。
【００４２】
以上のように、本実施の形態によれば、ＧＵＩ画面上の図形を音情報に合わせてビブラート表示させるので、音楽再生パラメータの設定をより視覚的に確認することができる。また、ＧＵＩ画面上の図形を表示または非表示させることによって、音調や演奏楽器などの情報を視覚的に確認することができる。
【産業上の利用可能性】
【００４３】
本発明は、音楽再生用ソフトウェアを用いて音楽再生を行う場合に、パンやボリュームなどの音楽再生パラメータを設定する用途に利用できる。
【図面の簡単な説明】
【００４４】
【図１】本発明による音楽再生パラメータ設定装置の構成の一例を示すブロック図である。
【図２】音楽再生パラメータ設定装置が行う音楽再生パラメータの設定処理の一例を示す流れ図である。
【図３】音楽再生パラメータ設定装置の他の構成例を示すブロック図である。
【符号の説明】
【００４５】
１  入力装置
２  入力情報制御装置
３  音声情報制御装置
４  音楽出力制御装置
５  出力装置
２１  入力情報分析部
２２  入力情報記憶部
３１  再生情報編集部
３２  再生情報記憶部
４１  出力制御部
【図１】
2005249872.tif 000003
【図２】
2005249872.tif 000004
【図３】
2005249872.tif 000005